(57)【特許請求の範囲】
【請求項１】
複数の投影用ランプを備えており、かつ各投影用ランプがそれぞれ画面全体を投射するように構成されている液晶プロジェクタにおいて、
ランプ点灯時において、各投影用ランプ点灯時に発生する過渡的な電流が同時に流れないように、各投影用ランプを所定時間おきに順次点灯させる順次点灯手段、
各投影用ランプ毎に設けられ、かつ対応する投影用ランプが不点灯状態であることを検出する複数の不点灯検出手段、ならびに
順次点灯手段によって全投影用ランプに対する点灯動作が行われた後において、いずれかの不点灯検出手段によって投影用ランプが不点灯であることが検出されたときには、不点灯であると検出された投影用ランプに対してのみ、再度、点灯動作を行う手段、
を備えていることを特徴とする液晶プロジェクタ。
【発明の詳細な説明】
【０００１】
【発明の属する技術分野】
この発明は、複数の投影用ランプを備えており、かつ各投影用ランプがそれぞれ画面全体を投射するように構成されている液晶表示装置に関する。
【０００２】
【従来の技術】
従来、液晶プロジェクタにおいては明るさの性能向上に向け、投影用ランプの高輝度化が図られてきた。これに応じて投影用ランプの駆動電源容量も増大してきた。この結果、投影用ランプ点灯時の過渡的な電流が非常に大きくなってきている。
【０００３】
一方、本発明者は、投影用ランプ単体の性能の向上を図ることに加えて、高輝度化を実現するため投影用ランプを４個設けた４灯式を開発した。これは４個の投影用ランプからの投射光を、光学系によって合成することにより、各投影用ランプからの投射光のそれぞれが画面全体を投射するようにしたものである。したがって、何らかの不具合によって、４個の投影用ランプの中に点灯しないランプが存在するような場合には、特定の画面領域が投射されないのではなく、画面全体の輝度が低下する。
【０００４】
上記の４灯式では、全ての投影用ランプを同時に点灯させると、点灯時に流れる過渡的な電流を４個分同時に流すことになってしまい、電源容量としては最大の電流を確保する必要があるので、１灯式の場合に比べて４倍の過渡的な電流を流せる容量のものが必要になってくる。
【０００５】
更に、１灯式では投射時に不点灯が発生した場合は投射を中断して対処する以外に方法はなかったが、４灯式の場合は投影用ランプの不点灯が発生したとしても、その状況によっては、他の正常に点灯しているランプによって投影を継続させることが可能である。
【０００６】
【発明が解決しようとする課題】
この発明は、複数の投影用ランプを備えており、かつ各投影用ランプがそれぞれ画面全体を投射するように構成されている液晶プロジェクタにおいて、ランプ電源容量の低減化を図れる液晶プロジェクタを提供することを目的とする。
【０００７】
また、この発明は、複数の投影用ランプを備えており、かつ各投影用ランプがそれぞれ画面全体を投射するように構成されている液晶プロジェクタにおいて、全投影ランプの点灯動作後においていずれかの投影用ランプが不点灯である場合でも、他の正常に点灯している投影用ランプによって投影を継続させるとともに、不点灯の投影ランプに対して再度点灯動作を行なうことができるようになる液晶プロジェクタを提供することを目的とする。
【０００８】
【課題を解決するための手段】
この発明による液晶プロジェクタは、複数の投影用ランプを備えており、かつ各投影用ランプがそれぞれ画面全体を投射するように構成されている液晶プロジェクタにおいて、ランプ点灯時において、各投影用ランプ点灯時に発生する過渡的な電流が同時に流れないように、各投影用ランプを所定時間おきに順次点灯させる順次点灯手段、各投影用ランプ毎に設けられ、かつ対応する投影用ランプが不点灯状態であることを検出する複数の不点灯検出手段、ならびに順次点灯手段によって全投影用ランプに対する点灯動作が行われた後において、いずれかの不点灯検出手段によって投影用ランプが不点灯であることが検出されたときには、不点灯であると検出された投影用ランプに対してのみ、再度、点灯動作を行う手段を備えていることを特徴とする。
【００１０】
【発明の実施の形態】
以下、図面を参照して、この発明の実施の形態について説明する。
【００１１】
図１は、４灯式の液晶プロジェクタのランプ電源部とランプ電源制御部とを示している。
【００１２】
ランプ電源部８は、４つの投影用ランプ１１〜１４毎に設けられたランプ電源回路２１〜２４およびランプ不灯検出回路３１〜３４ならびに各ランプ電源回路２１〜２４に電源を供給するランプ用元電源７から構成されている。
【００１３】
ランプ電源制御部６は、各ランプ電源回路２１〜２４毎に設けられかつ対応するランプ電源回路２１〜２４をオンさせるためのスイッチ回路４１〜４４およびこれらのスイッチ回路４１〜４４を制御するためのタイミング制御回路５から構成されている。
【００１４】
図２は、ランプ点灯時におけるランプ電源制御部６によるランプ点灯制御方法と電源電流の変化とを示している。
【００１５】
つまり、ランプ点灯時においては、タイミング制御回路５は、複数のランプに対する過渡電流が重なるといったことを防止するために、スイッチ回路４１〜４４を同時ではなく、順番にオンさせていく。このようにすると、１個のランプの電源をオンする毎に過渡電流が流れ、それが安定してから次のランプがオンされる。これを４回繰り返して通常はランプ電源オンの動作を終了する。
【００１６】
したがって、ランプ点灯時に流れる電流は、３個のランプが順次点灯して定常オン状態にある場合に、４個目のランプがオンされて過渡電流が流れた時点で最大となる。なお、図２の破線は、本発明によらないで４個のランプ１１〜１４を同時にオンさせた場合に流れる最大電流を示している。
【００１７】
図３は、ランプ電源制御部６によるランプ点灯制御処理手順を示している。
【００１８】
初期設定の後（ステップ１）、１番目の投影用ランプ１１の電源回路２１をオンさせる（ステップ２）。そして、過渡電流が安定するのに十分な時間、たとえば５００ｍｓ待った後（ステップ３）、２番目の投影用ランプ１２の電源回路２２をオンさせる（ステップ４）。
【００１９】
５００ｍｓ待った後（ステップ５）、３番目の投影用ランプ１３の電源回路２３をオンさせる（ステップ６）。５００ｍｓ待った後（ステップ７）、４番目の投影用ランプ１４の電源回路２４をオンさせる（ステップ８）。
【００２０】
５００ｍｓ待った後（ステップ９）、ランプ不点灯検出回路３１〜３４のいずれかによって、ランプ不点灯が検出されているか否かを監視する（ステップ１０）。
【００２１】
ランプ不点灯検出回路３１〜３４のいずれかによって、ランプ不点灯が検出されている場合には、不点灯となっている１つの投影用ランプに対して、その投影用ランプの電源回路をオンさせる（ステップ１１）。そして、５００ｍｓ待った後（ステップ１２）、ステップ１０に戻る。
【００２２】
なお、全ての投影用ランプ１１〜１４が点灯した後においても、ランプ不点灯検出回路３１〜３４のいずれかによって、ランプ不点灯が検出されているか否かを監視し（ステップ１０）、ランプ不点灯が検出された場合には、ステップ１１、１２の処理を行なう。
【００２３】
上記実施の形態では、４灯式の液晶プロジェクタにおいて、ランプ電源部８としては、定常的に流れる３灯分の電流と１灯分の点灯時過渡電流を加えた容量のものを用いることができる。更に定常動作中に、ランプ不点灯が発生した場合でも、残りの投影用ランプで投射を続けつつ不点灯ランプの再点灯処理を行うことができる。
【００２４】
【発明の効果】
この発明によれば、複数の投影用ランプを備えた液晶プロジェクタにおいて、ランプ電源容量の低減化を図れるようになる。
【００２５】
また、この発明によれば、全投影ランプの点灯動作後においていずれかの投影用ランプが不点灯である場合でも、他の正常に点灯している投影用ランプによって投影を継続させるとともに、不点灯の投影ランプに対して再度点灯動作を行なうことができるようになる。
【図面の簡単な説明】
【図１】４灯式の液晶プロジェクタのランプ電源部とランプ電源制御部とを示すブロック図である。
【図２】ランプ点灯時におけるランプ電源制御部６によるランプ点灯制御方法と電源電流の変化とを示すタイムチャートである。
【図３】ランプ電源制御部６によるランプ点灯制御処理手順を示すフローチャートである。
【符号の説明】
５  タイミング制御回路
６  ランプ電源制御部
８  ランプ電源部
７  ランプ用元電源
１１〜１４  投影用ランプ
２１〜２４  ランプ電源回路
３１〜３４  ランプ不点灯検出回路
４１〜４４  スイッチ回路
【図１】
0003600127.tif 000002
【図２】
0003600127.tif 000003
【図３】
0003600127.tif 000004